(57)【要約】      （修正有）【課題】ブラッシングと同時に洗浄剤を毛元側、体側に行き渡らせるようにすると共に、使い勝手を改善する除菌ブラシを提供する。【解決手段】突起状のくし歯状部材であるブラシ１１によって、洗浄、殺菌、マッサージするために用いられる除菌ブラシにおいて、内部に溶液が封入できる容器部７が構成された本体部１と、本体部１と結合されブラシ１１が形成されたブラシ部１０と、容器部７とブラシ１１の先端までを連結し溶液がブラシ１１の先端から漏出するように設けられた細管１２と、本体部１の上面に複数設けられた接合穴８、９と、接合穴８、９を閉塞する複数のブランクキャップ４、５と、を備える。【選択図】図１
0003212951.tif 000002
【実用新案登録請求の範囲】
【請求項１】
突起状のくし歯状部材であるブラシによって、洗浄、殺菌、マッサージするために用いられる除菌ブラシにおいて、
内部に溶液が封入できる容器部が構成された本体部と、
前記本体部と結合され前記ブラシが形成されたブラシ部と、
前記容器部と前記ブラシの先端までを連結し前記溶液が前記ブラシの先端から漏出するように設けられた細管と、
前記本体部の上面に複数設けられた接合穴と、
前記接合穴を閉塞する複数のブランクキャップと、
を備えたことを特徴とする除菌ブラシ。
【請求項２】
前記本体部の上面は中央部の水平面と、その周辺の斜面で構成され、
前記接合穴は前記水平面と前記斜面とにそれぞれに設けられたことを特徴とする請求項１に記載の除菌ブラシ。
【請求項３】
前記接合穴には円筒型の容器とされたボトルが取り付けられた請求項１または２に記載の除菌ブラシ。
【請求項４】
前記溶液として、除菌液が前記容器部に封入されたことを特徴とする請求項１から３のいずれか１項に記載の除菌ブラシ。
【請求項５】
前記溶液として、ホタテの貝殼を原料とした「焼成カルシウム」と「純水」で作られた除菌液が前記容器部に封入されたことを特徴とする請求項１から４のいずれか１項に記載の除菌ブラシ。
【請求項６】
前記溶液として、「強アルカリ水」の除菌液が前記容器部に封入されたことを特徴とする請求項１から５のいずれか１項に記載の除菌ブラシ。
【請求項７】
前記水平面に設けられた前記接合穴に天然由来の成分の除菌液が封入されたボトルが取り付けられたことを特徴とする請求項２に記載の除菌ブラシ。
【請求項８】
前記斜面に設けられた前記接合穴にホタテの貝殼を原料とした「焼成カルシウム」と「純水」で作られた除菌液が封入されたボトルが取り付けられたことを特徴とする請求項２に記載の除菌ブラシ。
【請求項９】
前記ボトルの材質はプラスチックとされ、前記ボトルの壁の厚みが０．１ｍｍ〜０．８ｍｍとされたことを特徴とする請求項７又は８に記載の除菌ブラシ。
【請求項１０】
前記ブラシ部は、ゴム状弾性を示すエラストマーで構成されたことを特徴とする請求項１から９のいずれか１項に記載の除菌ブラシ。
【考案の詳細な説明】
【技術分野】
【０００１】
本考案は、犬や猫などの獣毛やその他人間の頭髪（以下、単にヘアという）などをブラッシング（いわゆる梳き分け）しながら洗浄、殺菌、マッサージするのに好適な除菌ブラシに関する。
【背景技術】
【０００２】
通常、ブラッシングによる洗浄は、洗浄剤そのものをヘアに擦り付けて除菌ブラシによってブラッシングし、後はタオル等でシャンプーを拭い取るだけでヘアを洗浄することで行っている。例えば水浴びを嫌がる犬や猫などのペットの獣毛洗浄、寝たきりの病人や老人の洗髪あるいは全身の洗浄などで有用である。
【０００３】
ブラッシングにおいて、除菌ブラシの先端に設けられた突起状のくし歯状部材によって、ヘアの梳き分け、いわゆるブラッシングと同時に、突起による毛根部へのマッサージが行われる。このとき、ブラッシングと同時に洗浄剤を毛元側に行き渡らせるようにして、ヘア全体の洗浄を十分に行えるようにすると共に、併せてマッサージ効果も与える必要がある。
【０００４】
従来、ペット用シャンプーブラシにおいて、シャンプー液等の抽出量を安定させ、排出口がどのような向きにあってもシャンプー液等を確実に抽出できるようにするため、下面にブラシが設置される。そして、上部にシャンプー液貯留容器を構成する本体内にシャンプー液抽出ポンプを設け、プッシュボタンによりシャンプー液を本体の下面に設けたシャンプー液抽出口から排出させることが知られ、特許文献１に記載されている。
【０００５】
また、養毛剤や育毛剤などのトニック類を無駄なく頭皮に塗布するため、トニック液を入れるボトル部を本体部分に設ける。そして、ボトル部の底部から伸びた細管がブラシ内部を通り、ブラシ先端部の小穴へ達する。その小穴から、トニック液が漏出することが、特許文献２に記載されている。
【先行技術文献】
【特許文献】
【０００６】
【特許文献１】特開２００５−１２４５０８号公報
【特許文献２】特開平１０−３１３９４７号公報
【考案の概要】
【考案が解決しようとする課題】
【０００７】
特許文献１に記載のものは、本体の下面に設けたシャンプー液抽出口を単に設け、シャンプー液抽出ポンプにより、抽出口を下向きにしなくてもシャンプー液等の抽出量に過不足がないようにしたものである。したがって、ブラッシングと同時に洗浄剤を毛元側に十分行き渡らせることができるものではない。
【０００８】
また、特許文献２に記載のものは、単にブラシ先端部の小穴から、トニック液が漏出するようにしたに過ぎない。犬や猫などのペットの獣毛洗浄、寝たきりの病人や老人の全身の洗浄などにおいては、洗浄を行う部位によってブラシを傾ける必要がある。特許文献２（特許文献１も同様）では、ボトル部を本体部分の中央部分、水平面に設けているので、ブラシを傾けて使用するにはトニック液、あるいは洗浄剤が十分漏出しない。また、洗浄を行う部位によっては使い勝手が極めて悪かった。
【０００９】
本考案は、上記従来技術の課題を解決し、ブラッシングと同時に洗浄剤を毛元側、体側に行き渡らせるようにすると共に、洗浄を行う部位によってブラシを傾ける、あるいは持ち方を変えて使用する場合においても、使い勝手を改善することにある。
【課題を解決するための手段】
【００１０】
上記目的を達成するため、本考案は、突起状のくし歯状部材であるブラシによって、洗浄、殺菌、マッサージするために用いられる除菌ブラシにおいて、内部に溶液が封入できる容器部が構成された本体部と、前記本体部と結合され前記ブラシが形成されたブラシ部と、前記容器部と前記ブラシの先端までを連結し前記溶液が前記ブラシの先端から漏出するように設けられた細管と、前記本体部の上面に複数設けられた接合穴と、前記接合穴を閉塞する複数のブランクキャップと、を備えたものである。
【００１１】
また、上記において、前記本体部の上面は中央部の水平面と、その周辺の斜面で構成され、前記接合穴は前記水平面と前記斜面にそれぞれに設けられたことが望ましい。
【００１２】
さらに、前記接合穴には円筒型の容器とされたボトルが取り付けられることが望ましい。
【００１３】
さらに、前記溶液として、天然由来の成分の除菌液が前記容器部に封入されたことが望ましい。
【００１４】
さらに、前記溶液として、ホタテの貝殼を原料とした「焼成カルシウム」と「純水」で作られた除菌液が前記容器部に封入されたことが望ましい。
【００１５】
さらに、前記溶液として、「強アルカリ水」の除菌液が前記容器部に封入されたことが望ましい。
【００１６】
さらに、前記水平面に設けられた前記接合穴に天然由来の成分の除菌液が封入されたボトルが取り付けられたことが望ましい。
【００１７】
さらに、前記斜面に設けられた前記接合穴にホタテの貝殼を原料とした「焼成カルシウム」と「純水」で作られた除菌液が封入されたボトルが取り付けられたことが望ましい。
【００１８】
さらに、前記ボトルの材質はプラスチックとされ、前記ボトルの壁の厚みが０．１ｍｍ〜０．８ｍｍとされたことが好ましい。また、前記ボトルの材質は弾力のあるものや伸縮する構造とされても良い。
【００１９】
さらに、前記ブラシ部は、ゴム状弾性を示すエラストマーで構成されたことが望ましい。
【考案の効果】
【００２０】
本考案によれば、洗浄、殺菌、マッサージするために用いられる除菌ブラシにおいて、本体部に容器部を設け、容器部とブラシの先端までを細管で連結し溶液が漏出するようにすると共に、本体部の上面に接合穴を複数設けているので、ブランクキャップで容器部を閉塞したり、ボトルを使い方によって繋ぎ変えたり、することができる。したがって、容器部内に洗浄剤を入れて、ブラッシングと同時に毛元側、体側に行き渡らせるようできると共に、使い勝手を向上できる。
【図面の簡単な説明】
【００２１】
【図１】本考案の一実施形態に係る除菌ブラシの断面図である。
【図２】本考案の一実施形態に係る除菌ブラシの底面図である。
【図３】本考案の一実施形態に係る除菌ブラシの上面図である。
【図４】本考案の一実施形態に係る除菌ブラシに対してボトルを中央に取り付けた状態を示す側面断面図である。
【図５】本考案の一実施形態に係る除菌ブラシに対してボトルを斜面部に取り付けた状態を示す側面断面図である。
【考案を実施するための形態】
【００２２】
図１は一実施形態に係る除菌ブラシの断面図であり、図２は底面図、図３は上面図を示している。除菌ブラシは、樹脂材料とされた本体部１、ブラシ部１０、とで構成される。本体部１は、内部に洗浄剤６などの溶液が封入できる容器部７が構成され、片手でも握り易いような形状、例えば図示のような楕円形状となっている。
【００２３】
また、本体部１の上面は、同様な理由により中央部の水平面２と、その周辺の斜面３で丸味を持った滑らかな湾曲凸面形状とされている。本体部１は、例えばポリエチレン、ポリプロピレン等からなるプラスチック製の成形品であり、図に示すように底面が楕円形状として開口している。
【００２４】
ブラシ部１０は、本体部１の楕円形状の底面に嵌め込まれて結合あるいは一体化される。そして、ブラシ部１０は、複数本のブラシ１１が突起状のくし歯状部材として一体成型されて形成されている。そして、ブラシ１１の下端が上端よりも小径とされた逆円錐状になっている。また、ブラシ１１は、マッサージ効果が得られるように弾力のある構造をしている。
【００２５】
さらに、ブラシ１１の略中央に細管１２が貫通するように設けられ（図１、図２参照）、本体部１の容器部７とブラシ１１の先端までが連結される。そして、細管１２は、容器部７に貯留された洗浄剤６がブラシ１１の先端から漏出するように設けられている。また、本体部１は、ブラシ部１０とは異なる色彩に着色され、デザイン上のアクセントとすることが使い勝手の点から望ましい。
【００２６】
また、ブラシ部１０は、ゴム状弾性を示すエラストマーが望ましく、天然ゴム（ＮＲ）、ジエン系ゴム、非ジエン系ゴム、熱可塑性エラストマー等を用いることができる。これらの中でも、熱可塑性エラストマーを用いることが、射出成形による成型加工が可能である等の観点から好ましい。熱可塑性エラストマーとしては、ＳＢＳ、ＳＩＳ、ＳＥＢＳ、ＳＥＰＳ等のスチレン系エラストマー（ＴＰＳ）、オレフィン系エラストマー（ＴＰＯ）、エステル系エラストマー（ＴＰＣ）、ウレタン系エラストマー（ＴＰＵ）、アミド系熱可塑性エラストマー（ＴＰＡ）、熱可塑性ゴム架橋（ＴＰＶ）等が挙げられる。そして、これらのエラストマーは一種を単独で又は２種以上を組み合わせて用いることもできる。
【００２７】
さらに、本体部１は、ブラシ部１０に比べて硬い材料であれば特に制限されないが、合成樹脂であることが好ましい。その合成樹脂の例としては、例えば、ポリプロピレン（ＰＰ）、ポリエチレン（ＰＥ）等のポリオレフィン樹脂、ポリエチレンテレフタレート（ＰＥＴ）、アクリロニトリル−ブタジエン−スチレン共重合体樹脂（ＡＢＳ）、ポリアセタール樹脂（ＰＯＭ）、ポリシクロヘキサンジメチレンテレフタレート樹脂（ＰＣＴＡ）等が挙げられる。
【００２８】
本体部１をブラシ部１０に比べて上記なような硬い材料とすることにより、ブラシ部１０を本体部１の底面に嵌め込んだ場合、洗浄剤６が確実に密封される。また、対象部位のヘアが乾燥していても、除菌ブラシをスムーズに動かすことができると共に、ブラシ１１が皮膚に対して良好なグリップ力を発現して、マッサージ対象部位に十分なマッサージ効果が得られる。
【００２９】
さらに、ブラシ部１０は、ゴム状弾性を示すエラストマーで構成されており、変形しやすい。そのため、ブラシ１１を頭皮などに押し当てた際には、適度に変形することによって、頭皮を過度に刺激することがなく、かつ、頭皮を揉み解すマッサージ効果、強擦法に相当するマッサージ効果が一層高まる。
【００３０】
本体部１の上面には、中央部の水平面２とその周辺部の斜面３にそれぞれ接合穴８、９が設けられる。それぞれの接合穴８、９は、それぞれブランクキャップ４、５により閉塞できるように構成される。そして、それぞれのブランクキャップ４、５は、洗浄剤６を容器部７へ密封し、使用中に漏洩することを防いでいる。ブランクキャップ４、５をゴムのような弾性体とすれば接合穴８、９は貫通穴、ねじ状としても良い。
【００３１】
洗浄剤６は、犬や猫などのペットの獣毛洗浄、寝たきりの病人や老人の全身の洗浄などを行う点から天然由来の成分で環境にも優しい除菌液が望ましい。例えば、ホタテの貝殼を原料とした「焼成カルシウム」と「純水」のみで作られている天然素材１００％の除菌液が良い。これによれば、ほとんどの細菌やウイルスを不活化させる「強アルカリ水」であり、除菌・抗菌効果をもたらす他、血液などのタンパク質由来の汚れも分解する。そして、人や犬、猫等動物の肌に触れた瞬間に中性に変化する上、刺激臭や発がん性もない。
【００３２】
上記の除菌液による洗浄剤６を除菌ブラシに封入して使用すれば、ブラッシングのみならず衣類、寝具、食器などに洗浄ブラシとして応用することも適している。衣類であれば、素肌に触れるものだから除菌・抗菌効果でいつもさわやかにすることができる。寝具であれば、体の老廃物の蓄積による嫌な臭いを消臭し、快適な睡眠を得られる。食器では、料理や飲物などの口に入れるものをいつも清潔にできる。
【００３３】
除菌ブラシ、洗浄ブラシとしてのいずれの使用においても、ブラシ１１の先端部の細管１２より、洗浄剤６が漏出し、直接に対象部位へ導かれる。また、ブラシ部１０はゴム状弾性を示す材料で作られているので、洗浄剤６は、容器部７からブラシ１１の細管１２を通って、ちょうど注射器のように少しずつ押し出される。
【００３４】
通常、犬や猫などのペットの獣毛における洗浄では、洗浄剤をふりかける方法で行われている。しかし、特にペットの場合、毛が多く、長い。そして、この場合、毛に洗浄剤６が付着してしまい、大部分が無駄になる。更に、本考案者は、研究及び実験により、犬等の毛には脂分が付着しているので洗浄剤の液をはじいてしまい、洗浄剤の液が皮膚に到達することを阻害してしまうことを見いだした。
【００３５】
これに鑑みて本考案者が鋭意研究により考案した本考案による除菌ブラシによれば、洗浄剤６が、容器部７からブラシ１１の先端から細管１２を通って、少しずつ押し出されるので、効率良く皮膚側に行き渡らせることができる。
【００３６】
そして、同時に、ブラッシングにより洗浄剤６を体に擦り込み、マッサージ効果も得られる。また、洗浄剤６が直接、ブラッシングする人の手に触れることがない。したがって、ブラッシングする人に対して洗浄剤によるダメージを防ぐことができる。さらに、洗浄剤６を天然素材とするので、より一層、人肌に影響のない優しいものとすることができる。
【００３７】
また、ブラシ部１０は、本体部１より取り外すことができるので、除菌ブラシの内部を洗浄することができる。衛生を保つためには、使用前後にブランクキャップ４、５を外し、例えば水道の蛇口から水を流し込むことで容器部７内部やブラシ１１先端部の細管１２の汚れや雑菌はきれいに洗浄できる。このとき、水を流し込む場所が接合穴８、９と複数あるので、隅々まで洗浄することができる。
【００３８】
図４は、図１の除菌ブラシに対してブランクキャップ４を取り外して、洗浄剤６が入った容器である円筒型のボトル２０を接合穴８へ取り付けたものである。接合穴８の口径とボトル２０の取り付け部の口径は、適合するようにねじ状に構成されていることが望ましい。
【００３９】
ブランクキャップ４は、本体部１の上面で中央にある水平面２に設けてあり、ボトル２０は、本体部１の底面に垂直、ブラシ１１と同じ方向に取り付けられる。図１では除菌ブラシがコンパクトとなり、細かく動かして使用するには適している。そして、本体部１は、使用者が片方の手、通常、右手の親指と薬指および小指とで本体部１の左右両側面を挟んで把持するのに使い易い形状となっている。
【００４０】
しかしながら、図１では洗浄剤６は、容器部７の容量しか使えず、短時間、少ない部位しかブラシを使用できない。図４では、ボトル２０の容量を容器部７よりも大きくすることにより、長時間、多くの部位への使用が可能となる。また、図４の状態から９０度傾けて使用した場合、洗浄剤６をボトル２０の容量の略半分を使用しても空気は容器部７にはほとんど入らないため、ブラシ１１の先端から洗浄剤が出ないことはない。
【００４１】
しかしながら、図１の形態では、容器部７の洗浄剤６の半分を使用すれば、９０度傾けて使用すれば、ブラシ１１のうち略半分からは洗浄剤６が出てこないことになる。しかも、容器部７が完全に洗浄剤６で満たされている状態から洗浄剤６が減少するにつれて洗浄剤６が出てこないブラシ１１の数が増えてゆくことになる。このように、ボトル２０を使用することにより、図４の状態のようにボトルを立てれば、容器部７内の空気はボトル２０に入り、ボトル２０に入った空気は、よほど空気量が増えるか、かなりの角度まで傾けない限りは容器部７内に入らないので、略すべてのブラシ１１から洗浄剤６が出てくる状態を長く保つことができる。
【００４２】
また、ボトル２０がブラシ１１と同じ方向に取り付けられるので、ボトル２０を手で握って、除菌ブラシを水平に動かして使用する、例えばペットの頭部へ使用する場合に適している。さらに、ボトル２０の材質を弾力のあるものや伸縮する構造にして、手で押して外圧を加えるようにすれば、洗浄剤６の出る量を加減することができる。そのようなボトルの材質としては、例えば、ポリエチレンテレフタレート、ポリエチレン、塩化ビニル、ＡＢＳ樹脂等のプラスチック材料がある。これらのプラスチック材料を用いてボトルを作製し、そのボトルの壁の厚さは、手で押して外圧を加えることによりボトルが凹む厚さとすることができる。ボトルが凹むボトルの壁の厚さとしては、例えば、０．１ｍｍ〜０．８ｍｍとすることができる。
【００４３】
図５は、図１の除菌ブラシに対してブランクキャップ５を取り外して、洗浄剤６が入ったボトル２０を接合穴９へ取り付けたものである。ブランクキャップ５は、本体部１の上面で周辺部の斜面３に設けてあり、ボトル２０は、本体部１の底面に斜めに、ブラシ１１と所定の角度で取り付けられる。図４では、ボトル２０を手で握って、除菌ブラシを水平に動かして使用するのに適している。
【００４４】
しかしながら、図４のように、ボトル２０を取り付けた場合、例えばペットの胴体部、特に大型犬の腹部を洗浄、ブラッシングする場合、使い勝手が極めて悪いことになる。そこで、図５では、ボトル２０自体の長さも図４のものに比べて長いものを接合している。そして、ボトル２０が言わば本体部１の把手、把持部となり、手でしっかりとつかむことができる。
【００４５】
これにより、手から本体部１までの距離が離れるので、大型犬の腹部などまで届くことになる。また、大型犬の腹部などではブラシ部１０が上に向く、つまりブラシ部１０の先端を上に向ける必要がある。しかし、使用者によるこの動作も図５の構成の除菌ブラシの使用により容易となり、使い勝手が向上する。さらに、ブラシ部１０が上に向くことによって、洗浄剤６の対象部位への漏出が損なわれる。しかし、ボトル２０の材質を弾力のあるものや伸縮する構造にすれば、手で外圧を加えるようにして、洗浄剤６を押し出すことができる。
【００４６】
さらに、図５のように構成すれば、除菌液による洗浄剤６を除菌ブラシに封入して使用すれば、ペットの胴体部のブラッシングのみならず衣類、寝具、食器などに洗浄ブラシとしても使い勝手が向上する。特に、図５に示した使い方は、図１で示したように本体部１を手で握って使用するには、届かないような所、手で直接に触れたくない所にも適している。
【００４７】
以上、述べたように、本考案の除菌ブラシによれば、犬や猫などのペットの獣毛洗浄のみならず、ホタテの貝殼を原料とした天然素材１００％の除菌液を用いることにより、衣類を除菌・抗菌、寝具の消臭、食器の洗浄・除菌においても効率的に行うことができ、適用範囲が広い。
【００４８】
また、特に寝たきりの病人や老人の全身の洗浄などにおいては、使い勝手を改善して、マッサージ効果を高めることもできる。
【符号の説明】
【００４９】
１    本体部
２    水平面
３    斜面
４、５    ブランクキャップ
６    洗浄剤
７    容器部
８、９    接合穴
１０    ブラシ部
１１    ブラシ
１２    細管
２０    ボトル
【図１】
0003212951.tif 000003
【図２】
0003212951.tif 000004
【図３】
0003212951.tif 000005
【図４】
0003212951.tif 000006
【図５】
0003212951.tif 000007